(57)【特許請求の範囲】
【請求項１】
商用電源を高周波電力に変換する電力変換回路を備えた高周波電源回路と、該高周波電源回路と負荷とのインピーダンスマッチングをとるマッチング回路と、上記高周波電源回路と上記マッチング回路との間、もしくは、上記マッチング回路の一部を構成する箇所に挿入されて、上記高周波電源回路と上記負荷との少なくとも一方から発生するノイズを低減させ、少なくとも巻線を有するコモンモードフィルタを含むノイズフィルタとを有し、上記高周波電源回から上記マッチング回路を介して上記負荷に高周波電力を供給することを特徴とする電源装置。
【請求項２】
上記ノイズフィルタは、上記高周波電源回路の出力周波数よりも高く設定したカットオフ周波数以上の高調波成分の通過量を低減させる周波数フィルタであることを特徴とする請求項１記載の電源装置。
【請求項３】
上記ノイズフィルタは、１個以上のノーマルモードフィルタを含むことを特徴とする請求項１または請求項２に記載の電源装置。
【請求項４】
上記ノイズフィルタは、上記マッチング回路と上記負荷との間に挿入されていることを特徴とする請求項１ないし請求項３のいずれかに記載の電源装置。
【請求項５】
上記高周波電源回路と上記マッチング回路との間は、同軸ケーブルで接続されていることを特徴とする請求項１ないし請求項４のいずれかに記載の電源装置。
【請求項６】
上記ノイズフィルタは、上記同軸ケーブルの端部が挿入されてノイズを低減させる筒状のコアであることを特徴とする請求項５記載の電源装置。
【請求項７】
電源投入直後からあらかじめ設定された期間には上記高周波電源回路から上記ノイズフィルタを通さずに上記負荷に電力を供給させるバイパス手段を備えることを特徴とする請求項１ないし請求項６のいずれかに記載の電源装置。
【請求項８】
上記高周波電源回路の出力周波数は０．５〜２０ＭＨｚに設定されていることを特徴とする請求項１ないし請求項７のいずれかに記載の電源装置。
【請求項９】
請求項１ないし請求項８のいずれかに記載の電源装置と、上記電源装置からの高周波電力により点灯する上記負荷として無電極放電灯とを備えることを特徴とする放電灯点灯装置。
【請求項１０】
商用電源を高周波電力に変換する電力変換回路を備え、出力周波数が０．５〜２０ＭＨｚに設定された高周波電源回路と、該高周波電源回路と無電極放電灯を含む負荷とのインピーダンスマッチングをとるマッチング回路と、上記マッチング回路と上記負荷との間に挿入されたコモンモードフィルタと、上記高周波電源回路と上記マッチング回路との間を接続する同軸ケーブルとを有し、上記高周波電源回路から上記マッチング回路を介して上記負荷に高周波電力を供給することを特徴とする電源装置。
【発明の詳細な説明】
【０００１】
【発明の属する技術分野】
本発明は、高周波電力を負荷に供給する電源装置およびこの電源装置を用いて無電極放電灯を点灯させる放電灯点灯装置に関するものである。
【０００２】
【従来の技術】
従来から、図１４に示すような電源装置が知られている（特開平７−３７６９５号公報参照）。この電源装置は、負荷１である無電極放電灯に高周波電力を供給して無電極放電灯を点灯させるものであり、高周波電源回路２と負荷１との間にはインピーダンスをマッチングさせるためのマッチング回路３が挿入されている。
【０００３】
高周波電源回路２はＦＥＴよりなるスイッチング素子Ｑ１，Ｑ２のスイッチングにより高周波電力を発生させ、マッチング回路３は３個のコンデンサＣ１〜Ｃ３とインダクタＬ１とを用いて構成されている。また、無電極放電灯は、放電ガスが封入されたバルブ１１と、バルブ１１の近傍に配置された励起コイル１２とにより構成されている。
【０００４】
【発明が解決しようとする課題】
上述した電源装置では、マッチング回路３を用いているから、高周波電源回路２と負荷１とのインピーダンスマッチングをとることはできるが、スイッチング素子Ｑ１，Ｑ２や励起コイル１２から発生する高周波電源回路２の出力周波数に対する高調波ノイズを低減させることができない場合がある。
【０００５】
本発明は上記事由に鑑みてなされたものであり、その目的は、高周波電源回路と負荷とのインピーダンスマッチングをとりながらも、高周波電源回路や負荷から発生する高調波ノイズを低減させることが可能な電源装置およびこの電源装置を用いて無電極放電灯を点灯させる放電灯点灯装置を提供することにある。
【０００６】
【課題を解決するための手段】
請求項１の発明は、商用電源を高周波電力に変換する電力変換回路を備えた高周波電源回路と、該高周波電源回路と負荷とのインピーダンスマッチングをとるマッチング回路と、上記高周波電源回路と上記マッチング回路との間、もしくは、上記マッチング回路の一部を構成する箇所に挿入されて、上記高周波電源回路と上記負荷との少なくとも一方から発生するノイズを低減させ、少なくとも巻線を有するコモンモードフィルタを含むノイズフィルタとを有し、上記高周波電源回から上記マッチング回路を介して上記負荷に高周波電力を供給するものである。この構成によれば、マッチング回路によって高周波電源回路と負荷とのインピーダンスマッチングをとりながらも、ノイズフィルタによって高周波電源回路や負荷から発生するノイズを低減させることができる。
【０００７】
また、上記ノイズフィルタが少なくとも巻線を有するコモンモードフィルタを含むので、コモンモードノイズを低減させることができる。
【０００８】
請求項２の発明は、請求項１の発明において、上記ノイズフィルタが、上記高周波電源回路の出力周波数よりも高く設定したカットオフ周波数以上の高調波成分の通過量を低減させる周波数フィルタよりなるものである。この構成によれば、周波数フィルタのカットオフ周波数以上の高調波ノイズを低減させることができ、しかも、カットオフ周波数を変化させることにより、低減すべき高調波ノイズの周波数帯域を変化させることができる。
【０００９】
請求項３の発明は、請求項１または請求項２の発明において、上記ノイズフィルタが１個以上のノーマルモードフィルタを含むので、ノーマルモードノイズを低減させることができる。
【００１０】
請求項４の発明は、請求項１ないし請求項３の発明において、上記ノイズフィルタが、上記マッチング回路と上記負荷との間に挿入されているものである。この構成によれば、ノイズフィルタがマッチング回路と負荷との間に挿入されているので、負荷から外部に輻射されるノイズを低減させることができる。
【００１４】
請求項５の発明は、請求項１ないし請求項４の発明において、上記高周波電源回路と上記マッチング回路との間が同軸ケーブルで接続されているものである。
【００１５】
請求項６の発明は、請求項５の発明において、上記ノイズフィルタが、上記同軸ケーブルの端部が挿入されてノイズを低減させる筒状のコアよりなるものである。この構成によれば、同軸ケーブルの端部にコアを設けた簡単な構成で、高周波電源回路から発生するノイズを低減させることができる。
【００１６】
請求項７の発明は、請求項１ないし請求項６の発明において、電源投入直後からあらかじめ設定された期間には上記高周波電源回路から上記ノイズフィルタを通さずに上記負荷に電力を供給させるバイパス手段を備えるものである。この構成によれば、電源投入直後からあらかじめ設定された期間にはノイズフィルタを通さずに電力を負荷に供給するので、電源投入直後には負荷に流れる電流を大きくすることができる。しかも、電源投入直後からあらかじめ設定された期間が経過した後には負荷への電力供給経路にノイズフィルタが挿入されるので、ノイズを低減させることができる。例えば、負荷に無電極放電灯を用いたときには、電源投入直後つまり無電極放電灯の始動時に無電極放電灯に流れる電流を大きくすることにより、無電極放電灯の始動性を向上させ、点灯後はノイズを低減させることができる。
【００１７】
請求項８の発明は、請求項１ないし請求項７の発明において、上記高周波電源回路の出力周波数が０．５〜２０ＭＨｚに設定されているものである。
【００１８】
請求項９の発明は、請求項１ないし請求項８のいずれかに記載の電源装置と、上記電源装置からの高周波電力により点灯する上記負荷として無電極放電灯とを備える放電灯点灯装置である。
【００１９】
請求項１０の発明は、商用電源を高周波電力に変換する電力変換回路を備え、出力周波数が０．５〜２０ＭＨｚに設定された高周波電源回路と、該高周波電源回路と無電極放電灯を含む負荷とのインピーダンスマッチングをとるマッチング回路と、上記マッチング回路と上記負荷との間に挿入されたコモンモードフィルタと、上記高周波電源回路と上記マッチング回路との間を接続する同軸ケーブルとを有し、上記高周波電源回路から上記マッチング回路を介して上記負荷に高周波電力を供給するものである。
【００２０】
【発明の実施の形態】
以下、本発明の基本例及び実施の形態を図面に基づいて説明する。
【００２１】
（基本例１）
本基本例は、図１に示すように、高周波電源回路２からマッチング回路３を介して負荷１に高周波電力を供給する電源装置において、高周波電源回路２とマッチング回路３との間に、インダクタＬａ１とコンデンサＣａ１とにより構成されたローパスフィルタであるノイズフィルタ４を挿入したものである。
【００２２】
高周波電源回路２は、商用電源２１を高周波電力に変換する電力変換回路２２を備える。マッチング回路３には、３個のコンデンサＣ３１〜Ｃ３３を用いて構成されたＴ型マッチング回路を用いている。ノイズフィルタ４のカットオフ周波数は高周波電源回路２の出力周波数よりも高く設定されており、このカットオフ周波数以上の高調波ノイズを低減させる。
【００２３】
本基本例では、ローパスフィルタであるノイズフィルタ４を高周波電源回路２とマッチング回路３との間に挿入しているので、マッチング回路３によって高周波電源回路２と負荷１とのインピーダンスマッチングをとりながらも、高周波電源回路２から発生する高調波ノイズをノイズフィルタ４によって低減させることができる。しかも、ノイズフィルタ４はローパスフィルタであるから、カットオフ周波数を適宜設定すれば、低減すべき高調波ノイズの周波数帯域を変えることができる。
【００２４】
本基本例の構成について、以下のようなシミュレーションを行って効果を確認した。すなわち、ノイズフィルタ４のみの場合、マッチング回路３のみの場合、マッチング回路３とノイズフィルタ４とを併用した場合について、それぞれのインピーダンスの周波数依存性に関するシミュレーションを行った。その結果を図２ないし図４に示す。このシミュレーションは、高周波電源回路２の出力周波数を１３．５６ＭＨｚとし、負荷１のインピーダンスＺをＺ＝１０＋ｊ１００［Ω］（ｊは虚数単位）という条件で行った。
【００２５】
図２（ａ）のようにノイズフィルタ４のみを通して負荷１に電力を供給する場合のシミュレーション結果を図２（ｂ）に示す。ただし、Ｌａ１＝０．１μＨ、Ｃａ１＝５０ｐＦとし、ノイズフィルタ４のカットオフ周波数を７１．２ＭＨｚに設定した。図によれば、周波数がカットオフ周波数よりも高くなると、インピーダンスが上昇することがわかる。
【００２６】
一方、図３（ａ）のようにマッチング回路３のみを通して負荷１に電力を供給する場合のシミュレーションでは、図３（ｂ）のような結果が得られた。ただし、Ｃ３１＝１８０ｐＦ、Ｃ３２＝２００ｐＦ、Ｃ３３＝１８０ｐＦとし、１３．５６ＭＨｚのときにマッチング回路３の入力インピーダンスＺ１がほぼ５０Ω（Ｚ１＝５１．３４−ｊ１．２３［Ω］、ＳＷＲ＝１．０４）になるように設定した。図によれば、１３．５６ＭＨｚ付近でインピーダンスの変動があるが、全体の傾向としては周波数が高くなるにつれてインピーダンスが低下するので、マッチング回路３のみでは高調波ノイズが低減されにくいと言える。
【００２７】
しかして本基本例のように、マッチング回路３とノイズフィルタ４とを併用した図４（ａ）の回路を採用すると、図４（ｂ）に示すようなシミュレーション結果が得られた。ここに、ノイズフィルタ４とマッチング回路３との回路定数は図２（ａ）および図３（ａ）と同じに設定した。このとき、ノイズフィルタ４とマッチング回路４とを合わせた回路の入力インピーダンスＺ２はほぼ５０Ω（Ｚ２＝４８．５１−ｊ３．２６［Ω］、ＳＷＲ＝１．０８）になる。図４（ｂ）から明らかなように、ノイズフィルタ４のカットオフ周波数よりも周波数が高くなるとインピーダンスが上昇している。したがって、本基本例の構成を採用すると、ノイズフィルタ４のカットオフ周波数よりも高い周波数の高調波ノイズを低減できることが確認された。
【００２８】
ところで、マッチング回路３には、図５（ａ）に示すようにインダクタＬ３１とコンデンサＣ３４，Ｃ３６とを用いて構成されたπ型マッチング回路も知られている。そこで、マッチング回路３として、上述したＴ型マッチング回路に代えて、π型マッチング回路を用いることが可能か否かを確認すべくシミュレーションを行った。すなわち、マッチング回路３のみの場合、マッチング回路３とノイズフィルタ４とを併用した場合について、それぞれのインピーダンスの周波数依存性に関するシミュレーションを行った。その結果を図５および図６に示す。なお、高周波電源回路２の出力周波数および負荷１のインピーダンスは、図２ないし図４のシミュレーションと同じ条件にした。
【００２９】
図５（ａ）のようにマッチング回路３のみを通して負荷１に電力を供給した場合のシミュレーション結果を図５（ｂ）に示す。ただし、Ｌ３１＝２．３７μＨ、Ｃ３４＝１７０ｐＦ、Ｃ３６＝１８０ｐＦとし、１３．５６ＭＨｚのときにマッチング回路３の入力インピーダンスＺ３がほぼ５０Ω（Ｚ３＝４９．９６＋ｊ０．５６２［Ω］、ＳＷＲ＝１．０１）になるように設定した。この回路に対するシミュレーション結果は図５（ｂ）に示すようになり、１３．５６ＭＨｚよりも高い周波数帯域では周波数が高くなるにつれてインピーダンスが低下しており、π型マッチング回路を用いた場合もマッチング回路３のみでは高調波ノイズが低減されにくいと言える。
【００３０】
一方、図６（ａ）のようにマッチング回路３にノイズフィルタ４を併用すると、図６（ｂ）に示すようなシミュレーション結果が得られた。ただし、ノイズフィルタ４には、図２（ａ）に示したローパスフィルタを用いた。このとき、ノイズフィルタ４とマッチング回路３とを合わせた回路の入力インピーダンスＺ４はほぼ５０Ω（Ｚ４＝４８．０１＋ｊ１．１６［Ω］、ＳＷＲ＝１．０５）になる。図６（ｂ）から明らかなように、ノイズフィルタ４のカットオフ周波数よりも周波数が高くなるとインピーダンスが上昇している。したがって、マッチング回路３にπ型マッチング回路を用いた場合においても、Ｔ型マッチング回路と同様の結果が得られることが確認された。
【００３１】
（基本例２）
本基本例は、図７に示すように、マッチング回路３として図５（ａ）に示した形のπ型マッチング回路を用い、ノイズフィルタ４として２個のノーマルモードフィルタＬｂ１，Ｌｂ２を用いたものである。
【００３２】
各ノーマルモードフィルタＬｂ１，Ｌｂ２は、高周波電源回路２とマッチング回路３とを接続する２線のそれぞれに挿入される。
【００３３】
本基本例では、ノイズフィルタ４にノーマルモードフィルタＬｂ１，Ｌｂ２を用いることにより、高周波電源回路２と負荷１との間のノーマルモードノイズを低減させることができる。
【００３４】
（基本例３）
本基本例は、図８に示すように、マッチング回路３としてコンデンサＣ３４〜Ｃ３６よりなるπ型マッチング回路を用い、ノイズフィルタ４にコモンモードフィルタＬｃ１を用いたものである。
【００３５】
また、ノイズフィルタ４をマッチング回路３と負荷１との間に挿入してある。この構成によりコモンモードノイズが低減され、負荷１から外部に輻射されるノイズを低減させることができる。
【００３６】
（基本例４）
本基本例は、図９に示すように、ノイズフィルタ４として２つのバンドパスフィルタを用い、各バンドパスフィルタを高周波電源回路２とマッチング回路３との間およびマッチング回路３と負荷１との間にそれぞれ挿入したものである。
【００３７】
各バンドパスフィルタは、２個ずつのインダクタＬｄ１，Ｌｄ２，Ｌｄ３，Ｌｄ４と２個ずつのコンデンサＣｄ１，Ｃｄ２，Ｃｄ３，Ｃｄ４とを用いて構成され、高周波電源回路２の出力周波数を含む所定の周波数帯域以外の通過量を低減させるように設計されている。
【００３８】
本基本例では、ノイズフィルタ４として２つのバンドパスフィルタを用い、各バンドパスフィルタを高周波電源回路２とマッチング回路３との間およびマッチング回路３と負荷１との間にそれぞれ挿入することにより、高周波電源回路２および負荷１から発生するノイズをともに低減させることができる。
【００３９】
（実施形態１）
本実施形態は、図１０に示すように、基本例２の構成を変形したものであって、ノイズフィルタ４であるコモンモードフィルタＬｃ１がマッチング回路３の一部を構成しているものである。すなわち、コモンモードフィルタＬｃ１の一方の巻線をコンデンサＣ３５とコンデンサＣ３６との間に挿入し、他方の巻線をコンデンサＣ３４とコンデンサＣ３６との間に挿入してある。他の構成は基本例２と同様である。
【００４０】
（実施形態２）
本実施形態では、図１１に示すように、高周波電源回路２とマッチング回路３との間を同軸ケーブル５で接続し、ノイズフィルタ４として同軸ケーブル５の両端に２個の筒状のコアＣｏ１，Ｃｏ２をそれぞれ設けたものである。
【００４１】
ここで用いるコアＣｏ１，Ｃｏ２は、クランプフィルタという商品名で市販されているものであって、筒状のコアの中心部に１回以上電線を通すことにより特定周波数帯域において高インピーダンスになるものである。
【００４２】
そこで、コアＣｏ１，Ｃｏ２にはノイズを低減させようとする周波数帯域で減衰特性を示すものを用いる。したがって、各コアＣｏ１，Ｃｏ２の中心部に同軸ケーブル５の両端をそれぞれ挿入することにより、周波数フィルタと同様の機能を持つノイズフィルタ４として用いることができる。
【００４３】
本実施形態では、ノイズフィルタ４として同軸ケーブル５の両端にコアＣｏ１，Ｃｏ２をそれぞれ設けた簡単な構成で、高周波電源回路２から発生するノイズを低減させることができる。
【００４４】
（実施形態３）
本実施形態は、図１２に示すように、それぞれコモンモードフィルタＬｃ１，Ｌｃ２よりなる２個のノイズフィルタ４を用いたものである。
【００４５】
コモンモードフィルタＬｃ１は、高周波電源回路２と同軸ケーブル５との間に挿入され、高周波電源回路２から発生するコモンモードノイズを低減させる。一方、コモンモードフィルタＬｃ２は、マッチング回路３と負荷１との間に挿入され、負荷１から発生するコモンモードノイズを低減させる。
【００４６】
本実施形態では、ノイズフィルタ４となるコモンモードフィルタＬｃ１，Ｌｃ２を高周波電源回路２と同軸ケーブル５との間およびマッチング回路３と負荷１との間にそれぞれ挿入することにより、高周波電源回路２および負荷１から発生するノイズをともに低減させることができる。
【００４７】
（実施形態４）
本実施形態は、図１３に示すように、基本例２の構成において、負荷１として放電ガスが封入されたバルブ１１と励起コイル１２とからなる無電極放電灯を用い、電源投入直後からあらかじめ設定された期間には高周波電源回路２からノイズフィルタ４を通さずに励起コイル１２に電力を供給させるバイパス手段を設けたものである。
【００４８】
本実施形態では、バイパス手段として２個のスイッチＳ１，Ｓ２を設けている。各スイッチＳ１，Ｓ２は、ノイズフィルタ４であるコモンモードフィルタＬｃ１の各巻線の両端間にそれぞれ接続され、電源投入直後にはともにオンし、無電極放電灯の点灯後はともにオフするように、図示しない制御回路で制御されている。
【００４９】
電源投入直後つまり無電極放電灯の始動時には、図１３（ａ）に示すように、各スイッチＳ１，Ｓ２がともにオンしてコモンモードフィルタＬｃ１の各巻線の両端間がそれぞれ短絡され、コモンモードフィルタＬｃ１を通さずに電力が励起コイル１２に供給される。したがって、励起コイル１２に流れる電流が大きくなり、無電極放電灯が始動しやすくなる。
【００５０】
その後、無電極放電灯が点灯する程度の時間が経過すると、図１３（ｂ）に示すように、各スイッチＳ１，Ｓ２がともにオフして、励起コイル１２への電力供給経路にコモンモードフィルタＬｃ１が挿入されることにより、コモンモードノイズが低減される。
【００５１】
【発明の効果】
請求項１の発明は、商用電源を高周波電力に変換する電力変換回路を備えた高周波電源回路と、該高周波電源回路と負荷とのインピーダンスマッチングをとるマッチング回路と、上記高周波電源回路と上記マッチング回路との間、もしくは、上記マッチング回路の一部を構成する箇所に挿入されて、上記高周波電源回路と上記負荷との少なくとも一方から発生するノイズを低減させ、少なくとも巻線を有するコモンモードフィルタを含むノイズフィルタとを有し、上記高周波電源回から上記マッチング回路を介して上記負荷に高周波電力を供給するものであり、マッチング回路によって高周波電源回路と負荷とのインピーダンスマッチングをとりながらも、ノイズフィルタによって高周波電源回路や負荷から発生するノイズを低減させることができるという効果がある。
【００５２】
また、上記ノイズフィルタが少なくとも巻線を有するコモンモードフィルタを含むので、コモンモードノイズを低減させることができるという効果がある。
【００５３】
請求項２の発明は、請求項１の発明において、上記ノイズフィルタが、上記高周波電源回路の出力周波数よりも高く設定したカットオフ周波数以上の高調波成分の通過量を低減させる周波数フィルタよりなるので、周波数フィルタのカットオフ周波数以上の高調波ノイズを低減させることができ、しかも、カットオフ周波数を変化させることにより、低減すべき高調波ノイズの周波数帯域を変化させることができるという効果がある。
【００５４】
請求項３の発明は、請求項１または請求項２の発明において、上記ノイズフィルタが１個以上のノーマルモードフィルタを含むので、ノーマルモードノイズを低減させることができるという効果がある。
【００５５】
請求項４の発明は、請求項１ないし請求項３の発明において、上記ノイズフィルタが、上記マッチング回路と上記負荷との間に挿入されているものであり、ノイズフィルタがマッチング回路と負荷との間に挿入されているので、負荷から外部に輻射されるノイズを低減させることができるという効果がある。
【００５８】
請求項６の発明は、請求項５の発明において、上記ノイズフィルタが、上記同軸ケーブルの端部が挿入されてノイズを低減させる筒状のコアよりなるものであり、同軸ケーブルの端部にコアを設けた簡単な構成で、高周波電源回路から発生するノイズを低減させることができるという効果がある。
【００５９】
請求項７の発明は、請求項１ないし請求項６の発明において、電源投入直後からあらかじめ設定された期間には上記高周波電源回路から上記ノイズフィルタを通さずに上記負荷に電力を供給させるバイパス手段を備えるものであり、電源投入直後からあらかじめ設定された期間にはノイズフィルタを通さずに電力を負荷に供給するので、電源投入直後には負荷に流れる電流を大きくすることができる。しかも、電源投入直後からあらかじめ設定された期間が経過した後には負荷への電力供給経路にノイズフィルタが挿入されるので、ノイズを低減させることができる。例えば、負荷に無電極放電灯を用いたときには、電源投入直後つまり無電極放電灯の始動時に無電極放電灯に流れる電流を大きくすることにより、無電極放電灯の始動性を向上させ、点灯後はノイズを低減させることができるという効果がある。
【図面の簡単な説明】
【図１】  本発明の基本例１を示す回路図である。
【図２】  （ａ）はシミュレーションの対象となる回路の回路図、（ｂ）は同図（ａ）の回路のシミュレーション結果を示すグラフ図である。
【図３】  （ａ）はシミュレーションの対象となる回路の回路図、（ｂ）は同図（ａ）の回路のシミュレーション結果を示すグラフ図である。
【図４】  （ａ）はシミュレーションの対象となる回路の回路図、（ｂ）は同図（ａ）の回路のシミュレーション結果を示すグラフ図である。
【図５】  （ａ）はシミュレーションの対象となる回路の回路図、（ｂ）は同図（ａ）の回路のシミュレーション結果を示すグラフ図である。
【図６】  （ａ）はシミュレーションの対象となる回路の回路図、（ｂ）は同図（ａ）の回路のシミュレーション結果を示すグラフ図である。
【図７】  本発明の基本例２を示す回路図である。
【図８】  本発明の基本例３を示す回路図である。
【図９】  本発明の基本例４を示す回路図である。
【図１０】  本発明の実施形態１を示す回路図である。
【図１１】  本発明の実施形態２を示す回路図である。
【図１２】  本発明の実施形態３を示す回路図である。
【図１３】  本発明の実施形態４を示し、（ａ）は電源投入直後の状態を示す回路図、（ｂ）は無電極放電灯の点灯後の状態を示す回路図である。
【図１４】  従来例を示す回路図である。
【符号の説明】
１  負荷
２  高周波電源回路
３  マッチング回路
４  ノイズフィルタ
５  同軸ケーブル
Ｌｂ１，Ｌｂ２  ノーマルモードフィルタ
Ｌｃ１，Ｌｃ２  コモンモードフィルタ
Ｃｏ１，Ｃｏ２  コア
Ｓ１，Ｓ２  スイッチ
【図１】
0003804334.tif 000002
【図２】
0003804334.tif 000003
【図３】
0003804334.tif 000004
【図４】
0003804334.tif 000005
【図５】
0003804334.tif 000006
【図６】
0003804334.tif 000007
【図７】
0003804334.tif 000008
【図８】
0003804334.tif 000009
【図９】
0003804334.tif 000010
【図１０】
0003804334.tif 000011
【図１１】
0003804334.tif 000012
【図１２】
0003804334.tif 000013
【図１３】
0003804334.tif 000014
【図１４】
0003804334.tif 000015